(57)【要約】【課題】  不正開錠時の負荷が小さくて、シリンダー錠の種類や、メーカーによる形状の相違に対応できる開錠防止装置及びその取付具の提供を目的とする。【解決手段】  扉に対する複数の取付け手段を有する箱体から伸縮すると共に、扉に設けた開錠用のつまみに接近させて、棒状のストッパーを配設した。このストッパーを駆動装置で作動させることにより、開錠防止装置及びその装置に用いる取付具とした。  ストッパーを伸ばして開錠つまみに配設することで、つまみの回転を阻止し、ストッパーを元の位置に戻すことで開錠可能とした。【選択図】        図１
2005023770.tif 000002
【特許請求の範囲】
【請求項１】
扉への取付け手段を有する箱体と、
この箱体より伸縮すると共に、前記扉に設けた扉開閉用のつまみに接近して、前記つまみの回転移動を阻止するように配設した棒状のストッパーと、
このストッパーを作動させる駆動装置とからなる開錠防止装置。
【請求項２】
シリンダー錠にその一部を掛止すると共に、その一部に弾性を有する材料で形成した扉用の取付け手段を有する箱体と、
この箱体より伸縮すると共に、前記扉に設けた扉開閉用のつまみに接近して、前記つまみの回転移動を阻止するように配設した金属製のストッパーと、
このストッパーを作動させる駆動装置とからなり、前記扉開閉用のつまみに接近して配置したストッパーに対して、不正開錠により扉開閉用のつまみが回転されて前記ストッパーに当接すると、警報用のブザー音が生じるようにした開錠防止装置。
【請求項３】
シリンダー錠の形状や種類に応じて、その取付け位置を可変可能な状態に形成した箱体に取付けする固定板と、
この固定板の一端から延出して設けられ、前記シリンダー錠の一部に掛止する支持体とからなり、この支持体と前記固定板との間で、両者の取付け間隔を調整可能にしたことを特徴とする取付具。
【発明の詳細な説明】
【発明の詳細な説明】
【技術分野】
【０００１】  本発明は、サムターン回しと呼ばれるシリンダー錠の不正開錠を、阻止するように改善した開錠防止装置及びその装置に用いる取付具に関する。
【背景技術】
【０００２】  本発明の従来例について説明する。本発明の従来例としては、サムターンと呼ばれ、扉の建家内側に設けた扉開閉用のつまみに対して、つまみと平行に配設されてその回転を阻止する負荷部材を、サムターンの周辺に設けたものがある。
この負荷部材は棒状よりなり、その一端に設けた回動中心軸を中心にして、負荷部材を回動させることによって、開錠することができるピッキング防止装置がある。（例えば特許文献１参照）【０００３】
【特許文献１】          実用新案登録第３０８２２４０号
【発明が解決しようとする課題】
【０００４】  文献１に示すピッキング防止装置は、つまみの回動を阻止させる負荷部材が、つまみの長手方向と平行に配置されるために、負荷部材に加わる負荷が大きくなって変形が生じやすい。
これを対策するには、変形が生じないように部材の強化と、つまみを回動させる力よりも大きなトルクを持たせて形成しなければならない。  また、負荷部材を平行に配置させたことは、負荷部材が長くなる程、負荷が大きくなるという欠点もあった。
シリンダー錠には、複数の形状があって、ドアの把手とサムターンとが一体のもの、又は別体のもの、更にサムターンにも各種の形状があって、それぞれの種類や形状に対応できないという大きな欠点もあった。また、シリンダー錠用の鍵では不正開錠に対応できない構成であった。
本発明は、上述した不具合を解消するためになされたものであり、サ厶ターンのつまみに対する負荷が小さくて、シリンダー錠の複数の形状に対応できる開錠防止装置及びその取付具の提供を目的とする。
【課題を解決するための手段】
【０００５】  上記不具合を解決するために、本発明は次のような構成としている。
請求項１に記載した開錠防止装置は、扉への取付け手段を有する箱体より伸縮すると共に、扉に設けた扉開閉用のつまみに接近させて、つまみの回転を阻止する棒状のストッパーと、このストッパーを作動させる駆動装置とで開錠防止装置とした。
箱体から伸びたストッパーを、つまみの近くに配置させることで、つまみの回転を阻止すると共に、伸ばしたストッパーを縮めることで開錠を可能とした。
請求項２に記載した開錠防止装置は、請求項１に記載した開錠防止装置の箱体取付け手段の一部を、弾性を有する材料にて形成し、その一部をシリンダー錠に掛止させた。
扉開閉用のつまみに近接配置して、つまみの回転を阻止するストッパーを導電性にすると共に、警報用のブザーを配設することで開錠装置とした。
不正開錠によりつまみが回転されて、導電性のストッパーと接触することにより、ブザー音が生じるようにした。
請求項３に記載した取付具は、シリンダー錠の種類や形状に応じて、その取付け位置を可変可能な状態に形成した箱体に、扉取付け用としての固定板を設けた。
この固定板の一端から延出して、シリンダー錠の一部に掛止する支持体を設けると共に、この支持体と前記固定板との間の間隔を、調整可能とすることで取付具とした。
固定板と支持体との位置関係を調整することにより、各種のシリンダー錠への取付けを可能にした。
【発明を実施するための最良の形態】
【０００６】  本発明について、図面を参照して説明する。図１は本発明の開錠防止装置を示す斜視図、図２は図１の一部を破断して示す分解斜視図である。
図１で示すように、本発明の開錠防止装置１０は、装置としての駆動部を収納した箱体１２と、この箱体の一側面から図中の矢印Ａで示す方向に伸縮するストッパー２０と、箱体１２を扉に取付けするための取付け手段としての取付具３０とからなる。
この取付具３０は先端部に、その一部を開放して輪状に形成した支持体を、図中の矢印Ｂ方向に回動可能な状態で固着している。
このような取付具３０は、図２で示すように箱体１２から取外しできると共に、箱体に対して複数の取付け方ができるものである。
箱体１２は図２で示すように、箱本体１３と蓋１８とからなり、両者はねじ止めによって固着することができる。また、箱本体の内部には、ストッパー２０などを作動させるための駆動装置２５を収納している。
このような箱体１２とストッパー２０及び取付け手段としての取付具３０とについて、図面を参照して更に詳細に説明する。【０００７】  図３は図１の箱体を示す斜視図、図４は図１で示す取付具を破断して示す分解斜視図である。
箱体１２は箱本体１３と蓋１８とからなり、合成樹脂で形成すると共に、箱本体１３の内部には、図示しないがストッパー２０を作動させる駆動装置２５を収容している。
この駆動装置２５は、ストッパー２０を作動させるモーターや、このモーターの回転を伝達するギヤボックス、及びこれらを駆動させる電源としての電池、更にストッパーの移動距離を設定するリミットスイッチ、これらを制御する部品を取付けした印刷基板や警報用のブザー等を収容している。
このような箱本体１３の一側面には、図３で示すように前述した取付具３０を複数の姿勢で取付けする取付孔郡１５及び１６を設けている。
この取付孔郡１５及び１６は、ねじ孔よりなるもので取付具３０の取付け例については後述する。【０００８】  ストッパー２０は、その先端部を平坦面とした金属性の棒体よりなり、サムターンと呼ばれる扉開閉用つまみの回転を阻止するものである。つまみの平坦面とは直交する方向に配置させることで、ストッパーの軸芯方向に、負荷が加わるように配置している。
このようなストッパー２０は、箱体より突出したり元へ戻ったりして、伸縮するように配設している。ストッパー２０を突出させた状態が、サ厶ターンの開錠を阻止する位置であり、元へ戻した位置にある場合のみ、開錠可能な状態に設定している。
不正開錠により、サ厶ターンのつまみとストッパー２０とが当接すると、その状態を感知して警告音であるブザーを発声させるようにしている。【０００９】箱体の取付け手段である取付具３０は、図４で示すように、その一端をＬ形に折曲した固定板３２と、この固定板の他端側で、高さ調整具３５を介して設けた輪状の支持体３８とからなる。
固定板３２は金属製の厚板からなり、その裏面側には両面接着テープ３４を貼付けして、図示しない扉面へ取付けするようにしている。
また、固定板３２の折曲した面には、箱体１２への取付穴３３を設けている。この取付穴３３は１対の長穴よりなり、両面接着テープ３４で扉に取付けた固定板３２と箱体１２との間隔を調整できるように配慮している。
支持体３８は、扉に設けた開閉操作用の把手や、サムターンに掛止させる輪形であり、径の大きな把手用と径の小さなサムターン用との二種類の大きさの輪形よりなり、選択使用するものである。
この支持体３８は弾性を有する材質で形成されると共に、輪形の一部を切断した状態の挿入口３９を設けており、把手やサ厶ターンに引っ掛けられるように形成している。弾性を有する材料で支持体３８を形成したのは、その取付け部の径がメーカーにより相違するために、その相違に追従して取付けできるようにする理由である。
このような支持体３８には、支持体と固定板３２との間隔を調整する高さ調整具３５を設けており、ボルト３６を回転させて支持体３８の突出高さを位置決めする。従って、固定板側には、ボルトを挿入するねじ孔が設けられ、位置調整後に図示しないナット等を用いて固定するものである。
また、支持体３８が図１で示した図中の矢印Ｂ方向に回動することは説明した通りである。【００１０】  このように構成した開錠防止装置１０の扉への設置例について、図面を参照して説明する。図５は箱体に対する取付具の取付け例を示す説明図、図６は図１のサムターンへの取付を示す説明図、図７は同じく把手への取付けを示す説明図である。
図５で示すように、取付具３０の箱体１２に対する取付け方は、基本的に二種類の取付け方で対応する。
すなわち、図５の実線で示す取付具３０は、箱体に設けて図３で示した取付孔郡１５と、固定板３２に設けた取付穴３３とを利用して、箱体１２の広い面と固定板３２とを、対向させて取付けたものであり、サムターンへ取付けする例である。
従って、支持体３８として前述した直径の小さなものを使用する。
また、図中の点線で示す取付具３０は、箱体に設けた取付孔郡１６を用いて、箱体の側面と固定板とを一致させるように取付けたもので、ドアノブである扉操作用の把手へ取付けする例である。
支持体３８としては、前述した直径の大きなものを使用する。【００１１】  図５の実線で示した取付具３０の扉への取付けについて、図６を参照して説明する。
図６で示すサムターンへの開錠防止装置１０の取付けに際して、次のような確認を行う。
支持体３８をサムターン２に掛止させた場合に、ストッパー２０がリミットスイッチで止まる最大限に突出させた状態で、その先端がサムターンのつまみ部分と、２乃至３ミリ程度の間隔が保てるように、高さ調整具３５を用いて設定する。
この関係は図４で示したように、支持体３８と固定板３２との間に設けた高さ調整具３５のボルトを回転させて行う。
また、サムターン２のつまみに対して、開錠方向の回転を阻止する位置に、ストッパーが配置できるように、図６の図中の矢印で示す方向に調整する。この調整は固定板に設けた長穴よりなる取付穴３３を用いて行う。
尚、支持体３８は、サムターンに取付けると、ストッパーの先端とつまみの開錠方向の回転を阻止する位置とが一致するような関係で形成されているものである。【００１２】    上述したような確認をしたのち、固定板３２に貼付した両面接着テープの剥離紙をはがしてから、図６で示すように支持体３８をサムターンに掛止すると共に、固定板３２を扉に圧接して両面接着テープの作用で固着する。
図６の矢印で示した調整は、固定板３２を扉に固着してからでも可能である。
このように開錠防止装置１０を取付けたのち、図示しないリモコン装置の操作により、ストッパー２０を箱体から突出させると共に、サムターンのつまみとストッパーの先端に２乃至３ミリ程度の間隔５を設けて配置させる。
この状態で不正開錠によりサムターンを回転させても、ストッパー２０の存在によりつまみの回転が阻止されて、開錠は不可能となる。本発明の開錠防止装置１０は、不正開錠されてサムターンが廻されると、サムターンのつまみがストッパーの先端に当接し、この状態を検知して警告音を発生するように形成している。【００１３】  開錠防止装置１０を、ドアノブである把手に取付けする場合について、図面を参照して説明する。この取付け例には、図５の点線で示した固定板３２の開錠装置を使用する。
図７で示す把手３に取付ける場合も、前述したように取付け前の確認が必要である。所定の確認が済んだら固定板に貼付した両面接着テープをはがして、前述例と同様に取付ける。
把手３の先端につまみを設けた一体形の把手は、扉からの突出寸法が大きいために、箱体１２の取付け向きを変えることで、ストッパー２０の位置がそれに対応できるようにしたものであり、支持体３８も把手の大きな直径に合せて使用する。
本願の開錠防止装置１０は、支持体３８の大きさを二種類に設定して弾性体で形成することにより、掛止部の直径の大きさに対応し、箱体の取付け方を変えることと、箱体と固定板との取付け位置が調整できること、更に支持体３８と固定板間の間隔を変える高さ調整具３５を設けたこととで、シリンダー錠の種類やメーカーによる寸法や形状の相違などに対応できるようにしたものである。
この開錠防止装置１０によれば、このシリンダー錠に準備された正規の鍵であっても、開錠不可能な状態に設定されているから、どのような鍵を用いても開錠はできない。
これを開錠するには、開錠防止装置１０のリモコン操作によって、ストッパーの位置を解除してからでないと、開錠は不可能であり、信頼性の高い開錠防止装置である。
従って、従来例で説明したピッキング防止装置のように、正式な鍵で開錠できる形式とは、全く異なるものである。【００１４】  本発明のストッパー２０は、箱体１２の面と直交する方向に伸縮するように形成したが、つまみの下側から回転方向に移動させることも可能である。
すなわち、つまみの回転を阻止するストッパーの位置は、前述例と同じであるが、開錠する場合は、ストッパーの先端が降下するのではなくて、回転方向に移動してつまみと離れることによって、開錠するものである。
前述例は、モーター軸と直交する方向にストッパーを上下動させるために、傘歯車よりなるギヤボックスを必要としたが、ストッパーを回転方向に移動させるとこれが不要になり、構造が簡略化されてストッパーの先端にかかる負荷に対しても有利になる。【００１５】  開錠防止装置１０について、ブロック図を用いてその作用を説明する。図８は図１の作用を説明するブロック図である。
図８で示すように開錠防止装置１０は、リモコンなどよりなる送信側コントローラ４１により指示され、これを受信側コントローラ４２で受信して、駆動回路４３によりモーター４４が駆動すると共に、これらの動きやストッパーとつまみとの接触状況を検出する検出回路４５によって、受信側コントローラで処理し、必要に応じて警告音を発生させる。
【発明の効果】
【００１６】  以上説明したように本発明によれば、サムターンの開錠用つまみに、開錠方向への回転を阻止するストッパーを設けたことにより、以下の効果を得ることができた。
すなわち、不正開錠時には、ストッパーの軸方向に力が加わるので、ストッパーの強度は小さくても良い。
施錠後にストッパーを作動させると、正式な鍵でも開錠が不可能であるから、鍵を紛失したりスペアキーを作られたりしても安心である。
開錠防止や開錠の設定には、リモコンの操作で行うことができるので、非常に簡単であるなどの効果が得られた。
【図面の簡単な説明】
【図１】  本発明の開錠防止装置を示す斜視図である。
【図２】  図１の一部を破断して示す分解斜視図である。
【図３】  図１の箱体を示す斜視図である。
【図４】  図１の取付具の一部を破断して示す分解斜視図である。
【図５】  図４で示す取付具の取付け例を示す説明図である。
【図６】  開錠防止装置のサムターンへの取付けを示す説明図である。
【図７】  開錠防止装置の把手への取付けを示す説明図である。
【図８】  開錠防止装置の作用を説明するブロック図である。
【符号の説明】
１０  開錠防止装置
１２  箱体
２０  ストッパー
２５  駆動装置
３０  取付具
３２  固定板
３５  高さ調整具
３８  支持体
【図１】
2005023770.tif 000003
【図２】
2005023770.tif 000004
【図３】
2005023770.tif 000005
【図４】
2005023770.tif 000006
【図５】
2005023770.tif 000007
【図６】
2005023770.tif 000008
【図７】
2005023770.tif 000009
【図８】
2005023770.tif 000010